(57)【特許請求の範囲】
【請求項１】
少なくとも２つの互いに平行な電気的なプリント配線板（１，２）を表面接触接続するためのコンタクトエレメント（１５）と、コンタクトエレメントをプリント配線板コネクタ（１０）内部の規定位置で保持する保持装置（１６）とを有するプリント配線板コネクタであって、
コンタクトエレメントによって及び／又はコンタクトエレメントを介して保持装置（１６）に及ぼされる力が互いに保持装置の範囲で少なくとも部分的に相殺されるように、コンタクトエレメント（１５）及び保持装置（１６）が構成及び／又は配置されており、プリント配線板コネクタ（１０）のケーシングが、複数の単独部材（１１，１２，１３）から構成されている形式のものにおいて、
ケーシング内に通路（１４）が形成されており、
通路（１４）が、それぞれケーシングの２つの単独部材（１１，１２，１３）を通って延びており、
各コンタクトエレメント（１５）が、通路（１４）内で延びており、単独部材（１１，１２，１３）が、次のように形成されていて、つまり、単独部材（１１，１２，１３）が、通路（１４）内にコンタクトエレメント（１５）が容易に取り付けられるように、一群のコンタクトエレメント（１５）のなかで被覆範囲において平行に延びるコンタクトエレメント（１５）の延びに対してほぼ平行の方向で、互いに組み合わされて案内可能であるように、形成されており、前記方向が、プリント配線板の平面に対して斜めに延びていることを特徴とする、プリント配線板コネクタ。
【請求項２】
コンタクトエレメント（１５）が、プリント配線板コネクタ（１０）内部で通路（１４）を介して案内されたエレメントとして構成されており、前記コンタクトエレメント（１５）及び通路（１４）は、コンタクトエレメントの端部区分がプリント配線板コネクタ（１０）の結合位置で通路内に弾性的に押し戻されるように、構成されかつ設計されている、請求項１記載のプリント配線板コネクタ。
【請求項３】
コンタクトエレメント（１５）及び通路（１４）が、湾曲経過を有している、請求項２記載のプリント配線板コネクタ。
【請求項４】
保持装置（１６）が通路（１４）内部でコンタクトエレメント（１５）を、通路（１４）に沿ったコンタクトエレメントの移動を阻止するように、固持している、請求項１又は２記載のプリント配線板コネクタ。
【請求項５】
プリント配線板コネクタ（１０）及び結合すべきプリント配線板（１，２）が、ねじ結合により互いに固定可能である、請求項１から４までのいずれか１項記載のプリント配線板コネクタ。
【請求項６】
単独部材（１１，１２，１３）が、組立てフレームによって一緒に保持可能である、請求項１から５までのいずれか１項記載のプリント配線板コネクタ。
【請求項７】
プリント配線板コネクタ（１０）の結合位置で互いに結合すべきプリント配線板上に設けられたアースコンタクトとプリント配線板コネクタ（１０）のケーシングとの電気的な接続が可能にされるように、組立てフレームが構成されている、請求項６記載のプリント配線板コネクタ。
【請求項８】
プリント配線板コネクタ（１０）のケーシングが、導電性に構成されている、請求項１から７までのいずれか１項記載のプリント配線板コネクタ。
【発明の詳細な説明】
【０００１】
【発明の属する技術分野】
本発明は、特許請求の範囲第１項の上位概念に記載の形式のプリント配線板コネクタに関する、即ち、少なくとも２つの電気的なプリント配線板を電気的に接触接続するためのコンタクトエレメントと、コンタクトエレメントをプリント配線板コネクタ内部の規定位置で保持する保持装置とを有するプリント配線板コネクタに関する。
【０００２】
【従来の技術】
このようなプリント配線板コネクタは、多くの構成で公知である。
【０００３】
結合すべきプリント配線板の複雑化が進むにつれて益々多極のプリント配線板コネクタの使用が必要となっている。更に、プリント配線板コネクタによって製作される電気的な接続部（高いコンタクト力）の質、即ち特に、強度及び確実性に関する要求が増大している。
【０００４】
前記要求を満たすプリント配線板コネクタを互いに結合すべきプリント配線板と接触接続する間及びプリント配線板コネクタの結合位置において、コンタクトエレメントをプリント配線板コネクタ内部の所定位置で保持する保持装置、プリント配線板コネクタのケーシング及び保持装置とコンタクトエレメントとの間の結合部並びに保持装置とプリント配線板コネクタケーシングとの間の結合部に、無視できない力が及ぼされる。従って、この力に基づきこれら構成部材は安定的に構成されねばならない。
【０００５】
しかしながら、前記構成部材を特に安定的に構成すれば構成部材サイズが増大しひいては、プリント配線板コネクタをできるだけ小さく維持するかもしくはできるだけ高いコンタクトエレメント密度をもって製作するという、別の要求を妨げる。
【０００６】
【発明が解決しようとする課題】
従って本発明の課題は、特許請求の範囲第１項の上位概念に記載の形式のプリント配線板コネクタを改良して、多極の構成の場合にも及び／又は特に高いコンタクト力を得るための構成の場合にもプリント配線板コネクタを小さく及び／又は高いコンタクトエレメント密度をもって製作できるようにすることにある。
【０００７】
【課題を解決するための手段】
前記課題は本発明によれば、特許請求の範囲第１項の特徴部分に記載の本発明のプリント配線板コネクタによって、解決された。
【０００８】
【発明の効果】
本発明では、コンタクトエレメントによって及び／又はコンタクトエレメントを介して保持装置に及ぼされる力が互いに保持装置の範囲で少なくとも部分的に相殺されるように、コンタクトエレメント及び保持装置が構成及び／又は配置されている。
【０００９】
保持装置において力が部分的に相殺されることによって（例えば保持装置に対して少なくとも部分的に対称的なコンタクトエレメント構成によって）、保持装置の範囲で合成の力が著しく減少されるようになり、これによって、保持装置、プリント配線板コネクタケーシング及び保持装置とコンタクトエレメントとの間の結合部並びに保持装置とプリント配線板コネクタケーシングとの間の結合部の安定性ひいてはサイズを著しく減少できる。
【００１０】
つまりこれによって、多極の構成の場合にも及び／又は特に高いコンタクト力を得るための構成の場合にも小さく及び／又は高いコンタクトエレメント密度をもって製作可能なプリント配線板コネクタが得られる。
【００１１】
本発明の有利な構成は、その他の請求項に記載されている。
【００１２】
【発明の実施の形態】
本発明の一実施例によるプリント配線板コネクタを成す、下記に詳述するプリント配線板コネクタは、第１図において符号１０で示されている。第１図で図示の結合位置ではプリント配線板コネクタ１０は、２つの平行なプリント配線板１，２の間に配置（締付け固定）されていてかつこの位置でねじ３，４によって保持されている。プリント配線板コネクタ１０と（第１図でみて上側の）第１のプリント配線板１との間には、第１のコンタクト条片エレメント５が設けられていて、かつ、プリント配線板コネクタ１０と（第１図でみて下側の）第２のプリント配線板２との間には、第２のコンタクト条片エレメント６が設けられている。
【００１３】
プリント配線板コネクタ１０のケーシングは、下側部分１１と２つの上側部分１２，１３とから構成されている（第１図参照）。ケーシングもしくはケーシングを構成する主要構成部分は、導電性に構成、即ち、有利には金属又は金属を含有する材料から製作されている。
【００１４】
プリント配線板コネクタ１０のケーシング内には、第１図で図示のように円弧状に延びる通路１４が形成されている。第１図で図示の結合位置では、通路１４はほぼ連続的に第１のプリント配線板１の表面から第２のプリント配線板２の表面に延びている。
【００１５】
各通路１４内には、通路壁から間隔をおいて、縦長に形成されたコンタクトエレメント１５が延びていて、このコンタクトエレメント１５を介して、第１のプリント配線板１の表面に設けられたそれぞれ１つのコンタクトスポット（表面コンタクト＝Oberflaechenkontakt）が、第２のプリント配線板２の表面に設けられたコンタクトスポット（表面コンタクト）に電気的に接続可能である。コンタクトエレメント１５の少なくとも端部は、弾性的に撓み可能に構成されている。
【００１６】
プリント配線板コネクタが第１図で図示の結合位置を占めていない場合には、コンタクトエレメントの外端は、通路の両側でこの通路から突出する。プリント配線板コネクタが第１図で図示の結合位置に取り付けられた場合には、コンタクトエレメント１５の端部区分は、第１及び第２の電気的なプリント配線板との間でのプリント配線板コネクタの締付け固定に伴って、それぞれの通路内に押し戻される。コンタクトエレメント１５の端部区分は、プリント配線板コネクタの結合位置で圧着力をプリント配線板表面の接触接続すべきコンタクトスポットに及ぼしかつこれによってプリント配線板表面毎高いコンタクト力、即ち、不動の確実なプリント配線板結合が考慮される。
【００１７】
プリント配線板の電気的な接続は、表面コンタクトによるだけで充分である。それというのも、電気的な接続を生ぜしめる構成部材の電流方向での重要なオーバーラップが生じないか又は少なくとも生ぜす、結合個所における反射が減少されかつこれによって信号ひずみの著しい制限が可能にされるからである。更に、接続範囲でのプリント配線板の簡単かつ安定した構造（プリント配線板内に電気的なコネクタを圧入するための接続孔なし）が可能にされる。
【００１８】
プリント配線板コネクタの結合位置においては、コンタクトエレメント１５はほぼ全長に亘って通路１４の壁によって完全に取り囲まれている。
【００１９】
コンタクトエレメント１５はほぼ通路端部間の中央で（プリント配線板コネクタのケーシングの下側部分１１と上側部分１２，１３との間の限界部において）、それぞれ保持エレメント１６によって保持されている。保持エレメント１６は、それぞれのコンタクトエレメント１５に不動に結合されている。保持エレメント１６は、それぞれの通路１４の内部寸法を上回る寸法を有している。保持エレメント１６は、プリント配線板コネクタのケーシングの下側部分１１と上側部分１２，１３との間の対応する切欠き内に、保持エレメントがプリント配線板コネクタの組立て状態で離脱不能にプリント配線板コネクタに結合されるように、差し込まれている。
【００２０】
保持エレメント１６は、（部分的に保持エレメントによって保持されるコンタクトエレメント１５と協働して）多くの機能を有する。即ち、保持エレメント１６は、コンタクトエレメント１５が導電性の通路壁に接触することを阻止する。更に、保持エレメント１６は、コンタクトエレメントがそれぞれの通路に沿って移動することを阻止する。更に、保持エレメント１６は、通路内部でのコンタクトエレメントの規定された運動（例えば、特に結合位置にプリント配線板コネクタを取り付ける場合の、インピーダンスを規定する通路壁に対して平行な運動）を可能にしかつ例えば、特にコンタクトエレメントの適当な横断面構成等により別の運動を排除する。
【００２１】
コンタクトエレメント１５は、保持エレメント１６に関し少なくとも保持エレメント１６の直接的な隣接範囲でほぼ対称的に配置されているかもしくは次のように配置されている、即ち、コンタクトエレメント１５によって又はコンタクトエレメント１５を介して保持エレメント１６に及ぼされる力が、保持エレメント１６に関して少なくとも保持エレメント１６の直接的な隣接範囲でほぼ対称的な経過を有するように、コンタクトエレメント１５は配置されている。これによって、コンタクトエレメント１５によって又はコンタクトエレメント１５を介して保持エレメント１６に及ぼされる力を互いに保持エレメント１６の範囲で少なくとも部分的に相殺することができる。
【００２２】
これによって、保持エレメント１６自体、プリント配線板コネクタケーシング、保持エレメントとコンタクトエレメントとの間の結合部並びに特にプリント配線板コネクタケーシング内での保持エレメントの固定部は、問題なく比較的僅かな安定性のみを有しかつこれに応じて小さく構成できる。従って、本発明によるプリント配線板コネクタは、（コンタクトエレメントもしくはコンタクトエレメント列を密に並列して及び場合によってはコンタクトエレメントもしくはコンタクトエレメント列を入れ子式に連結して）比較的小さく構成できるか及び／又は極めて高いコンタクト密度を有することができる。
【００２３】
プリント配線板コネクタと電気的なプリント配線板との間には、既に前述したように、コンタクト条片エレメント５，６が設けられている。コンタクト条片エレメントは、導電性に構成されていてかつ、互いに接続すべきプリント配線板のアースコンタクト（Massekontakt）間の電気的な接続を行うために用いられる。
【００２４】
しかしながら、アースコンタクトを接続するために、本実施例では別個のコンタクトエレメント１５は設けられない。むしろ、それぞれの電気的なプリント配線板のアースコンタクト間の電気的な接続は、連続した電気的な接続パスを異なる形式で製作することによって、即ち、第１のプリント配線板１のアースコンタクトから所属の第１の（導電性の）コンタクト条片エレメント５、プリント配線板コネクタの（導電性の）ケーシング及び第２の電気的なプリント配線板２に属する第２の（導電性の）コンタクト条片エレメント６を介して第２の電気的なプリント配線板２のアースコンタクトに延びる連続した接続パスを異なる形式で製作することによって、行われる。
【００２５】
このようなアース接続は種々の利点を有する。一面では、必要とあればプリント配線板コネクタ内に設けられるコンタクトエレメント１５の数を著しく減少することができ、他面では、プリント配線板コネクタのケーシングの接地によって、完全に通路１４内部で延びるコンタクトエレメント１５がその全長に亘って互いに完璧に遮蔽されかつクロストーク又は別の相互の影響の危険が最小限に減少されるという、有利な効果が得られる。
【００２６】
プリント配線板のアースコンタクトとプリント配線板コネクタのケーシングとの間の完璧な接触接続を保証するために、コンタクト条片エレメント５，６は上向き及び下向きにばね弾性的なコンタクト薄片を有している。つまり、プリント配線板のコンタクトスポットがプリント配線板コネクタのコンタクトエレメント１５と接続される個所で、コンタクト条片エレメントは対応する切欠きを有している。しかしながら、特にこのような切欠きに直接隣接して、即ち、通路開口の周方向で、コンタクト条片エレメントに接触接続可能な多数のアースコンタクトを設けることができる。
【００２７】
このようなコンタクト条片エレメントの２つの可能な実施例は、第２ａ図及び第２ｂ図に図示されている。このようなコンタクト条片エレメントの作用形式を説明するために第２ｃ図では、第２ｂ図で図示のコンタクト条片エレメントは、電気的に互いに接続されるべき２つの面の間に緊締された状態で図示されている。
【００２８】
前記コンタクト条片エレメント５，６は、プリント配線板コネクタ自体を受容できる２部分から成る組立てフレームの主要構成部材である。厳密に云えば、第１のコンタクト条片エレメントは、半割シェル体状の第１の組立てフレーム半部の上面側を成しかつ第２のコンタクト条片エレメントは、半割シェル体状の第２の組立てフレーム半部の下面側を成している。更に、それぞれのコンタクト条片エレメントは、組立てフレーム半部のサイドエレメントを成す付加部を有しているが、この付加部は、第２ａ図及び第２ｂ図に図示の構造を有するのではなく、別の任意の構造を有することができる。
【００２９】
それぞれの組立てフレーム半部のサイドエレメントには、プリント配線板コネクタのケーシング内の対応する切欠き内に係止されるばね舌片７が設けられていて、この場合、第１図で図示のように、第１図でみて下側の組立てフレーム半部が、プリント配線板コネクタのケーシングの上側部分１２，１３に係止される。この場合、第１図でみて上側の組立てフレーム半部は、プリント配線板コネクタのケーシングの下側部分１１に係止される。
【００３０】
プリント配線板コネクタのケーシングの第１図で図示の多部分構成は、コネクタを簡単に組み立てるのに役立つ。このためにまず、プリント配線板コネクタのケーシングの下側部分１１内に、厳密に云えば、この区分に設けられる通路部分内に、コンタクトエレメント１５がこれに固定された保持エレメント１６と共に挿入され、この場合、保持エレメント１６は、プリント配線板コネクタのケーシングの下側部分１１の上面側に設けられた対応する切欠き内に位置する。全ての通路１４にコンタクトエレメント１５を装備した後では、プリント配線板コネクタのケーシングの両上側部分１２，１３が下側部分に被嵌められ、この場合、これら部分はまずルーズにのみ互いに重ね合わされる。
【００３１】
下側部分への上側部分の被嵌めは、斜め方向の被嵌め運動によって行われる。厳密に云えば、図面でみて左側の上側部分１２は、右上方から左下方への運動によって被嵌められ、かつ、図面でみて右側の上側部分１３は、左上方から右下方への運動によって被嵌められる。斜め運動量は、コンタクトエレメントの形状に応じて調整される。図面でみて上側のコンタクトエレメント半部を介した上側部分の押しずらしは、理想的には、コンタクトエレメントが通路壁に全く接触しないように又はほんの僅かにしか接触しなように、つまり、被覆範囲においてコンタクトエレメントの延びに対してほぼ平行であるように、行われる。
【００３２】
このようにして、組立て時にコンタクトエレメント及び／又は通路壁の損傷が申し分なく回避される。この場合、図面でみて左側の上側部分１２が被嵌められる全てのコンタクトエレメント並びに図面でみて右側の上側部分１３が被嵌められる全てのコンタクトエレメントは、それぞれ互いに平行に延びるという、有利な作用が及ぼされるが、接続すべきプリント配線板との電気的なコネクタの後述する接続形式に関連して対称的な力分布を得るために、本実施例では、種々のグループに属する（種々の上側部分によって覆われる）コンタクトエレメントは、互いに平行にではなく、互いに対称的に構成されている。
【００３３】
前述の斜め方向の被嵌め運動を確実に保証するために、図面から明らかなように下側部分は、互いに向かい合って位置する２つの斜面を備えた隆起部を有していて、下側部分に被嵌める際には前記斜面に沿って上側部分が案内可能（下向きに摺動可能）である。明瞭に図示された斜面は、所属の上側部分によってそれぞれ覆われるコンタクトエレメント区分の経過に対してほぼ平行に延びる経過を有している。しかしながら、斜面は図示のように直線的に延びるのではなく、（有利にはコンタクトエレメントの形状に密に依存して）任意の別の（例えば段状又は湾曲）形状を有することもできる。
【００３４】
下側部分の案内斜面に沿った上側部分の正確に規定された案内を得るためにひいては下側部分に上側部分を被嵌める際に通路内部でのコンタクトエレメントの完璧な案内を得るために、換言すれば、互いに被嵌める際に上側部分と下側部分との側方へのずれを阻止するために、案内斜面は、案内斜面表面で直線的に又は斜めに又は湾曲して延びるレール状又は溝状のガイドエレメントを備えることができ、このガイドエレメントには、上側部分の対応する対応片が係合する。
【００３５】
多部分から成る電気的なコネクタの主要構成部材の前述の構成は、記述の形式のプリント配線板コネクタの場合のみならず、あらゆる形式の電気的なコネクタの場合にも有利に使用可能である。このような構成によって、電気的なコネクタのコンタクトエレメントの固定と同時にコネクタ主要構成部材を簡単にしかも少ない労力で確実に組立てることができる。
【００３６】
上側部分と下側部分との結合は、既に上述した組立てフレーム半部によるコネクタの係止によって行われる。
【００３７】
組立てフレームによって係止された状態では、プリント配線板コネクタは互いに接続すべきプリント配線板との結合を行うために準備される。
【００３８】
結合は、例えばねじ３，４のような固定手段によって行われ、これらねじの多数は、第１図によれば互いに相前後して配置されていてかつ交互に上方及び下方からねじ込まれている。
【００３９】
コネクタの互いに向かい合って位置する側からの交互の固定によって、高い固定手段密度を与えることができ、これによって同様に、小さなプリント配線板コネクタをも互いに結合すべきプリント配線板に確実に不動に結合することができる。
【００４０】
ねじによる構成部材の結合形式は、種々の形式で実現できる（プリント配線板コネクタのケーシング内へのねじ込み、ナットとの締結、多数のねじエレメント相互のねじ込み等）。
【００４１】
固定手段の形式とは無関係に、プリント配線板コネクタが互いに結合すべきプリント配線板の間で付加的にコンタクト条片エレメントを間挿してできるだけ均一に強く締付け固定されると、有利である。それというのもこれによって、一面では、均一な最良の結合形式が得られ、かつ、他面では、この際生ずるコンタクトエレメントに対する力分布に基づき保持エレメント１６の範囲で改善された力補償作用が得られるからである。
【００４２】
更に、プリント配線板コネクタと第１のプリント配線板との間の結合及びプリント配線板コネクタと第２のプリント配線板との間の結合が同時にしかもそれぞれ等しく行われるように、プリント配線板コネクタと固定手段とを構成もしくは選択し、もしくは、このようにプリント配線板コネクタ及び固定手段の使用を決めると、有利である。これによって、前記力補償作用は、結合位置にプリント配線板コネクタを取り付ける場合に既に及び結合位置からプリント配線板コネクタを解離する場合にも実現される。
【００４３】
本発明は、非対称的な信号を伝達するためのプリント配線板コネクタに関する（それぞれ１つの内部導体及び共通の外部導体）。記述のプリント配線板コネクタは、場合によっては適当な修正により、対称的な信号を伝達するためにも使用可能である（２つの内部導体）。
【００４４】
非対称的な信号を伝達する場合、即ち、１つだけの内部導体を設ける場合、プリント配線板コネクタのインピーダンス値は、内部導体とインピーダンスを規定する通路側壁との間の間隔を調節（維持）することによって調節可能である。
【００４５】
対称的な信号を伝達する場合、即ち、２つの内部導体を設ける場合、プリント配線板コネクタのインピーダンス値は、両（内部）導体間の間隔を調節（維持）することによって及び両内部導体とインピーダンスを規定する通路側壁との間の間隔を調節することによって調節可能である。
【００４６】
一度調節されたインピーダンス値を如何なる場合でもコンスタントに維持するために、通路１４、コンタクトエレメント１５及び保持エレメント１６は、次のように構成されている、即ち、プリント配線板コネクタをその結合位置に取り付ける場合及び／又は結合位置から解離する場合に生ずる、通路１４内部でのコンタクトエレメント１５の弾性的な運動が、（例えばインピーダンスを規定する壁に対して平行な運動のように）インピーダンス値変化を生ぜしめない方向でのみ可能であるように、通路１４、コンタクトエレメント１５及び保持エレメント１６は構成されている。
【図面の簡単な説明】
【図１】２つのプリント配線板を結合する本発明によるプリント配線板コネクタの一実施例の断面図。
【図２】ａは、非接触接続状態でのコンタクト条片エレメントの実施例図であり、ｂは、非接触接続状態でのコンタクト条片エレメントの別の実施例図であり、ｃは、電気的に接続すべき２つの面の間に締付け固定された状態で図ｂのコンタクト条片エレメントを示した図である。
【符号の説明】
１，２  プリント配線板
３，４  ねじ
５，６  コンタクト条片エレメント
７  ばね舌片
１０  プリント配線板コネクタ
１１  ケーシング下側部分
１２，１３  ケーシング上側部分
１４  通路
１５  コンタクトエレメント
１６  保持エレメント
【図１】
0003943178.tif 000002
【図２】
0003943178.tif 000003